(57)【要約】      （修正有）【課題】打球面を打球目的方向と直角に合わせることが容易で、かつ収納時の打球方向長さを短くしたゴルフパターを提供する。【解決手段】ガイドライン板４を設けて、打球面２ｃと直角のガイドライン４ａを出来るだけ長くするとともに、ガイドライン板４を折曲げ回転可能にして収納時のパターの打球方向長さを折曲げ前の１／２以下にする。【選択図】図１
2013081618.tif 000002
【特許請求の範囲】
【請求項１】
シャフトとヘッドで構成されるゴルフパターにおいて、前記ヘッド打球面の裏側に、ガイドライン板と取付け板とストッパ板と回転軸と張力ばねで構成されるガイドライン部材を装着手段によって取付け、前記ガイドライン板と取付け板との間に回転手段を設け、前記ガイドライン板は前記取付け板の取付け面に対し、平行方向と直角方向の間で回転可能に構成され、前記ガイドライン板は前記ストッパ板に下から支えられて水平方向を維持する構成とし、更に、前記ガイドライン板とストッパ板との間に前記張力ばねの取付け手段により、前記ガイドライン板をストッパ板方向に付勢力を与え、ゴルフパター不使用時には、前記付勢力に抗して、前記ガイドライン板を前記ヘッドの上部に折り曲げ回転して収納出来る様にしたことを特徴とするゴルフパター。
【請求項２】
前記請求項１に記載のゴルフパターにおいて、前記ヘッド打球面の裏側に前記ガイドライン部材を取付ける装着手段は、前記ヘッド打球面の裏側に設けられた圧入溝に前記取付け板幅方向部を圧入嵌合するか、又は、前記ヘッド打球面の裏側に設けられた螺子穴に前記取付け板の取付け穴を通して螺子で締付けたことを特徴とするゴルフパター。
【請求項３】
前記請求項１又は２項のいずれかの１項に記載のゴルフパターにおいて、前記ガイドライン板と取付け板との間に設けた回転手段は、前記取付け板の上部と前記ガイドライン板のヘッド側部との間に蝶番構造を形成し、前記回転軸を中心に前記ガイドライン板が回転可能にしたことを特徴とするゴルフパター。
【請求項４】
前記請求項１から３項のいずれかの１項に記載のゴルフパターにおいて、前記ガイドライン板とストッパ板との間の前記張力ばねの取付け手段は、前記ガイドライン板の一定位置で幅方向の中央と前記ストッパ板の一定位置の中央とにそれぞればね掛け穴を設け、前記張力ばねの両端フックを前記のそれぞれのばね掛け穴穴に係合させる様にしたことを特徴とするゴルフパター。
【請求項５】
前記請求項１から４のいずれかの１項に記載のゴルフパターにおいて、前記ストッパ板は、前記取付け板と一体構造とし、前記取付け板の下端を略U字型に折り曲げげたことを特徴とするゴルフパター。
【発明の詳細な説明】
【技術分野】
【０００１】
この発明は、ゴルフ用パターの使い勝手の改善に関するものである。
【背景技術】
【０００２】
下記文献に示す様に、打球を目的位置に正確に到達せるには、バターのフェース面を打球の進行方向と直角に正確に合わせることと、打球の強さを適切に合わせることで、特に「フェース面を打球目的方向と直角に合わせる」のは難しく、ガイドラインを出来るだけ長くして、打球目的方向と正確に一致させることが大切です。しかし、下記の引例文献に見られる様に、バターの打球方向長さを大きくすると、収納時にサックへの収納や、ゴルフバッグへの収納面積が大きくなり困りものです。
本案はこの問題を解決する為に、収納時には、パターのガイドライン部材を曲げて、全体長さの1/2以下にすることを目的としたものです。
【先行技術文献】
【特許文献】
【０００３】
【特許文献１】特開２０１０―２０１０９０号公報
【発明の概要】
【０００４】
本発明は上記事情に鑑みてなされたもので、パターをヘッド部分に折り曲げ回転可能なガイドライン部材を取付けて、使用時にはガイドライン部材をばねの張力で水平に伸ばして一体化し、不使用時には、ガイドライン部材を上方向に９０度折り曲げて、収納面積を1/2以下とし、使い易さの改善と、収納スペース問題を同時に改善したものです。
勿論、この改造はJGAのゴルフ規則の趣旨を守って構成したもので、公的にも認可される範囲と理解して設計したものです。
【発明が解決しようとする課題】
【０００５】
（１）フェース面から打球方向に許容最大長さのガイドライン部材を設ける。
（２）不使用時は、ガイドライン部材を上側に折曲げ、収納スペースを最少にする。
(３) 前記ガイドラインはヘッドの上面に設け、使用者が最も見易い設計とする。
【課題を解決するための手段】
【０００６】
（１）ヘッドにガイドライン部材を取付けて延長し、最大長さのガイドラインを構築する。
（２）収納時は、ガイドライン部材を回転軸で上側に折曲げ、長さを全体長の1/2以下にする。
(３) 前記ガイドラインはヘッドの上面に設け、使用者が最も見易い設計とする。
【発明の効果】
【０００７】
前記解決手段により、従来品に比べ、下記の点が大幅に改善される。
（１）フェース面から打球方向に伸びるガイドラインが長く直線で見易い。
（２）不使用時はガイドライン部材を上側に折曲げて、収納スペースを小さくする。
(３) 不使用時の収納サックは、従来パターのサイズと略同一で、取り扱い容易。
【図面の簡単な説明】
【０００８】
【図１】本案の第一実施例分解斜視図
【図２】本案の第二実施例分解斜視図
【図３】本案の第一実施例上面図
【図４】本案の側面図とガイドライン板折曲げ図
【発明を実施するための形態】
【０００９】
以下に図１から図４を参照して本案の構造と作動を説明する。
図１は本案の第一実施例分解斜視図、図２は本案の第二実施例分解斜視図、図３は本案の第一実施例上面図、図４は本案の側面図とガイドライン板折曲げ図である。
図1は第一実施例で、１はシャフトで、先端には図示されていないグリップが装着されている。２ヘッドは２aステーと２bシャフトホルダーによって１シャフトに結合されている。３圧入溝は２c打球面の裏側にコの字型に２個対向して設けられ、溝幅L1は５取付け板の５b取付け部幅L2より0.05−0.15mm狭くして圧入代を設ける。
５取付け板の上端には２個の５a蝶番巻きを設け、４ガイドライン板の左端には１個の４b蝶番巻きを設け、６回転軸によって前記のそれぞれの蝶番巻きを軸通して蝶番構造と成し、４ガイドライン板を水平位置から垂直位置に回転可能にしている。５dストッパ板は５c連結部によって５取付け板と一体構成され、４ガイドライン板を下から支えて、４ガイドライン板を水平位置に保持している。4ガイドライン板の一定位置で幅方向の中央と5dストッパ板の一定位置で幅方向中央にそれぞれ４cおよび５eのばね掛け穴を設け、７張力ばねの両端に設けた７aばねフックを前記ばね掛け穴に係合して、４ガイドライン板を５dストッパ板方向に付勢し、５dストッパ板によって４ガイドライン板を安定して水平位置を保持させている。
尚、４ガイドライン板の表面デザインは好みによるが、幅中心の４aガイドラインは白色線とし、その両サイドの余地は黒色又は白色の反対色にすることが好ましい。４aガイドラインを目立ちやすくするために白色線の中心に細い赤線を加える方法もある。
次に図２の第二実施例を説明する。第一実施例と異なる点は、５取付け板を２c打球面の裏側に２個のピッチL5の３０雌ねじを設け、５取付け板に２個の同ピッチL6の３１ねじ穴を設け、８雄螺子によって締付け固定する方式で、他の構造は同一である。第一実施例は、ねじ加工が不要であるが、成形金型の構造が複雑になる。第二実施例は逆に金型構造は単純になるが、部品点数の増加を招く。
図３は図1の第一実施例の上面図で、JGAのゴルフ規則では、４ヘッドの最大幅A、フェィス面幅B、ヘッド部全長C  の関係はA<C  B＞A/2  B＞2C/3 と規定されており、本案の設計はいずれも満足している。
図４は本案の側面図と４ガイドライン板を、６回転軸を中心に７張力ばねの付勢力に抗して上側に折り曲げ回転させた状態図(仮想線)で、ヘッド部全長C に対し、折り曲げ後の２ヘッドの幅Dは  D＜C/2となり、１０収納サック(仮想線)への収納は、従来の収納サックとほぼ同サイズ使用できる。
【００１０】
次に、取り扱い操作を説明する。１０収納サックを外すと、４ガイドライン板は７張力ばねの付勢力で自動的に水平位置に復帰する。
パターの使用は、通常のパターと変わらないが、特徴はボールを２ヘッドの２c打球面前に置き、出来ればボールに印刷された直線の文字ラインを打球方向に合わせて置き、ヘッドの４aガイドラインを前記の直線文字ラインの延長線上に正確に合わせ、その方向を維持したまま、パターをボール後方に下げ、適切な速度で、前記４aガイドラインの長手方向に真直ぐ打ち出せば、ボールは確実に４aガイドライン方向に進行することになる。
使用後は４ガイドライン板を６回転軸を中心に、前記付勢力に抗して上側に折り曲げて、１０収納サックに収納すれば良い。
【産業上の利用可能性】
【００１１】
最近のゴルフ熱はさらに高まり、プレーヤーの研究熱心から、ゴルフクラブや
パターの改善が盛んであるが、実用性を考えると道具の大きさを拡大すれば、取り扱いや運搬に支障が生ずる。本案はそんな観点から、使用性能は最高にして、取り扱いの容易な折曲げ可能なゴルフパターを発明したもので、多くのゴルフファンに歓迎されるものと期待している。
【符号の説明】
【００１２】
１シャフト、２ヘッド、２aステー、２bシャフトホルダー、2 c打球面、３圧入溝、４ガイドライン板、４aガイドライン、４b蝶番巻き、４cばね掛け穴、５取付け板、５a蝶番巻き、５b取付け部、５c連結部、５dストッパ板、５eばね掛け穴、６回転軸、７張力ばね、７aばねフック、８雄螺子、９ガイドライン部、１０収納サック、３０雌ねじ、３１ねじ穴
【図１】
2013081618.tif 000003
【図２】
2013081618.tif 000004
【図３】
2013081618.tif 000005
【図４】
2013081618.tif 000006